(57)【要約】【課題】内部空間がより効率的に活用できるようにしたキムチ冷蔵庫を提供する。【解決手段】本体の内部に複数の貯蔵室が設けられ、毛細管、圧縮機、凝縮熱交換器、送風ファンなどの電装品を収納する機械室を複数の貯蔵室のいずれか一つの貯蔵室の下部に設けることにより、ほかの貯蔵室の内部容積を大きくする。【選択図】　　　　図２
2004037068.tif 000002
【特許請求の範囲】
【請求項１】
本体と、
キムチを貯蔵するため、前記本体内に設けられた二つ以上の貯蔵室と、
電装品を収容するため、前記二つ以上の貯蔵室のいずれか一つの下部に前記本体の前方から後方に配置される機械室とを含んでなることを特徴とするキムチ冷蔵庫。
【請求項２】
前記二つ以上の貯蔵室のうち、機械室が設けられていない貯蔵室の底面が機械室の設けられたほかの貯蔵室の底面より深く形成されることを特徴とする請求項１に記載のキムチ冷蔵庫。
【請求項３】
前記機械室は、
冷媒を圧縮する圧縮機と、
前記機械室に流入された外部空気と熱交換して前記冷媒を凝縮するための凝縮熱交換器と、
外部空気を前記機械室内に吸入し、前記凝縮熱交換器を通過した外部空気を外部へ排出させる送風ファンとを含むことを特徴とする請求項１に記載のキムチ冷蔵庫。
【請求項４】
前記凝縮熱交換器、前記送風ファン及び前記圧縮機が前記機械室の前方から後方に順次配置されることを特徴とする請求項３に記載のキムチ冷蔵庫。
【請求項５】
前記凝縮熱交換器、前記圧縮機及び前記送風ファンが前記機械室の前方から後方に順次配置されることを特徴とする請求項３に記載のキムチ冷蔵庫。
【請求項６】
前記キムチ冷蔵庫は、
外部空気を前記機械室内に吸入するため、前記機械室の前部下側に設けられた吸気孔と、
空気が前記凝縮熱交換器を通過して外部へ排出されるように前記機械室の後方に設けられた排気孔とをさらに含むことを特徴とする請求項４に記載のキムチ冷蔵庫。
【請求項７】
前記キムチ冷蔵庫は、前記送風ファンと前記機械室の内壁との間の空間を閉鎖するため前記凝縮熱交換器と前記圧縮機との間に設けられ、前記送風ファンを取り付けるための貫通孔が形成された案内部材をさらに含むことを特徴とする請求項４に記載のキムチ冷蔵庫。
【請求項８】
前記キムチ冷蔵庫は、前記凝縮熱交換器と前記機械室の内壁との間の空間を閉鎖して、前記機械室に流入された外部空気が前記凝縮熱交換器を通過するようにするため、前記機械室内に設けられた遮断部材をさらに含むことを特徴とする請求項４に記載のキムチ冷蔵庫。
【請求項９】
前記キムチ冷蔵庫は、
外部空気を前記機械室内に十分に吸入するため、前記機械室の下部の所定位置に設けられた補助吸気孔と、
外部空気を前記凝縮熱交換器に案内するため、前記補助吸気孔の周囲に設けられた案内リブとをさらに含むことを特徴とする請求項６に記載のキムチ冷蔵庫。
【請求項１０】
前記機械室は、
冷媒を圧縮する圧縮機と、
前記機械室内に流入された外部空気と熱交換して冷媒を凝縮する凝縮熱交換器と、
外部空気を前記機械室内に吸入し、前記凝縮熱交換器を通過した外部空気を外部へ排出する送風ファンとを含むことを特徴とする請求項２に記載のキムチ冷蔵庫。
【請求項１１】
前記吸気孔は前記機械室の底面をなす前記本体の下面の前部に設けられ、前記排気孔は前記機械室の後面をなす本体の後面の下部に設けられることを特徴とする請求項６に記載のキムチ冷蔵庫。
【請求項１２】
電装品を収容するための機械室を有する本体を含むキムチ冷蔵庫において、
キムチを貯蔵するため、前記本体内に設けられた二つ以上の貯蔵室を含み、前記機械室は二つ以上の貯蔵室のいずれか一つの貯蔵室に隣接した位置に前記本体の前方から後方に配置されることを特徴とするキムチ冷蔵庫。
【請求項１３】
前記機械室が配置された貯蔵室のほかの貯蔵室は前記機械室に隣接した貯蔵室の底面より深いことを特徴とする請求項１２に記載のキムチ冷蔵庫。
【請求項１４】
前記機械室が配置された貯蔵室のほかの貯蔵室は前記機械室に隣接した貯蔵室の貯蔵空間より大きいことを特徴とする請求項１２に記載のキムチ冷蔵庫。
【請求項１５】
前記機械室は、
冷媒を圧縮する圧縮機と、
前記機械室内に流入された外部空気と熱交換して冷媒を凝縮する凝縮熱交換器と、
外部空気を前記機械室内に吸入し、前記凝縮熱交換器を通過した外部空気をキムチ冷蔵庫の外部へ排出する送風ファンとを含むことを特徴とする請求項１２に記載のキムチ冷蔵庫。
【請求項１６】
前記機械室は、
冷媒を圧縮する圧縮機と、
前記機械室内に流入された外部空気と熱交換して冷媒を凝縮する凝縮熱交換器と、
外部空気を前記機械室内に吸入し、前記凝縮熱交換器を通過した外部空気をキムチ冷蔵庫の外部へ排出する送風ファンとを含むことを特徴とする請求項１４に記載のキムチ冷蔵庫。
【請求項１７】
前記機械室は、機械室の前方から後方の方向に前記凝縮熱交換器、前記送風ファン及び前記圧縮機の順に順次配置されることを特徴とする請求項１５に記載のキムチ冷蔵庫。
【請求項１８】
前記本体は前記機械室をなす第１壁部と第２壁部を含み、前記本体の第２壁部は前記本体の第１壁部の反対側に位置し、前記キムチ冷蔵庫は、
外部空気を前記機械室内に吸入するため、前記本体の第１壁部に設けられた吸気孔と、
空気が前記凝縮熱交換器を通過してキムチ冷蔵庫の外部へ排出されるようにするため、前記第２壁部に設けられた排気孔とをさらに含むことを特徴とする請求項１７に記載のキムチ冷蔵庫。
【請求項１９】
前記キムチ冷蔵庫は前記送風ファンを取り付けるための貫通孔が形成された案内部材をさらに含み、前記案内部材は、前記貫通孔に取り付けられた前記送風ファンにより吸入される外部空気が前記貫通孔を通過するように前記凝縮熱交換器と前記圧縮機との間に設けられることを特徴とする請求項１８に記載のキムチ冷蔵庫。
【請求項２０】
前記キムチ冷蔵庫は、前記凝縮熱交換器と前記機械室の内壁との間の空間を閉鎖して、前記機械室に流入される外部空気が前記凝縮熱交換器を通過するように前記機械室に設けられた遮断部材をさらに含むことを特徴とする請求項１８に記載のキムチ冷蔵庫。
【請求項２１】
前記案内部材は、前記送風ファンが空気を前記機械室内に移動させるようにするため、前記機械室の内部空間を二つの空間に区画することを特徴とする請求項１８に記載のキムチ冷蔵庫。
【請求項２２】
前記キムチ冷蔵庫は、
外部空気を前記機械室に吸入するため、前記凝縮熱交換器の付近の所定位置に設けられた補助吸気孔と、
外部空気を前記凝縮熱交換器に案内するため、前記補助吸気孔の周囲に設けられた案内リブとをさらに含むことを特徴とする請求項２０に記載のキムチ冷蔵庫。
【請求項２３】
前記キムチ冷蔵庫は、
前記二つ以上の貯蔵室を冷却させてキムチを冷却させるための蒸発熱交換器として作用するため、各貯蔵室の外壁に設けられた冷媒管と、
前記二つ以上の貯蔵室を加熱してキムチを熟成させるため、各貯蔵室の外壁を取り囲むように設けられた電熱線とをさらに含むことを特徴とする請求項２０に記載のキムチ冷蔵庫。
【請求項２４】
前記キムチ冷蔵庫は前記機械室内に配置された凝縮熱交換器をさらに含み、外部空気は前記キムチ冷蔵庫の前方から吸入されてから前記凝縮熱交換器を通過した後、前記キムチ冷蔵庫の後方に排出されることを特徴とする請求項１２に記載のキムチ冷蔵庫。
【請求項２５】
前記凝縮熱交換器、前記圧縮機及び前記送風ファンは前記機械室の前方から後方に前記機械室内に順次配置されることを特徴とする請求項１５に記載のキムチ冷蔵庫。
【請求項２６】
前記吸気孔は前記機械室の底面をなす本体の下面の前部に設けられ、前記排気孔は前記機械室の後面をなす前記本体の後面の下部に設けられることを特徴とする請求項１８に記載のキムチ冷蔵庫。
【請求項２７】
電装品を収容するための機械室を有する本体を含む冷蔵庫において、
前記冷蔵庫は前記本体内に設けられた二つ以上の貯蔵室を含み、前記機械室は、前記機械室が隣接した貯蔵室の貯蔵空間がほかの貯蔵室の貯蔵空間より小さいように一つの貯蔵室に隣接して配置されることを特徴とする冷蔵庫。
【請求項２８】
前記機械室に隣接した貯蔵室のほかの貯蔵室は同一の貯蔵空間を有することを特徴とする請求項２７に記載の冷蔵庫。
【請求項２９】
送風ファンなどの電装品を収容するための機械室を有する本体を含む冷蔵庫において、
前記冷蔵庫は前記本体内に設けられた二つ以上の貯蔵室を含み、前記機械室の内部空間は、前記送風ファンが空気を前記機械室に移動させるようにするため、第１及び第２空間に区画されることを特徴とする冷蔵庫。
【請求項３０】
本体を含む冷蔵庫において、
外部空気を吸入するため、内部に前方から後方に順次配置された凝縮熱交換器、送風ファン及び圧縮機などの電装品を収容するため、前記本体内に設けられた機械室を含んでなることを特徴とする冷蔵庫。
【請求項３１】
前記冷蔵庫は二つ以上の貯蔵室をさらに含み、前記二つ以上の貯蔵室のいずれか一つは前記機械室に隣接し、残りの貯蔵室は前記機械室に隣接した貯蔵室の貯蔵空間より大きい貯蔵空間を有することを特徴とする請求項３０に記載の冷蔵庫。
【請求項３２】
前記送風ファンは、前記冷蔵庫の一側から外部空気を前記機械室内に吸入し、前記凝縮熱交換器を通過した外部空気を前記冷蔵庫の反対側から冷蔵庫の外部へ排出させることを特徴とする請求項３０に記載の冷蔵庫。
【請求項３３】
前記本体は前記機械室をなす第１壁部及び第２壁部を含み、前記本体の第２壁部は前記本体の前記第１壁部の反対側に位置し、前記冷蔵庫は、
外部空気を前記機械室内に吸入するため前記本体の第１壁部に設けられた吸気孔と、
空気が前記凝縮熱交換器を通過して冷蔵庫の外部へ排出されるようにするため前記第２壁部に設けられた排気孔とをさらに含むことを特徴とする請求項３２に記載の冷蔵庫。
【請求項３４】
電装品を収容するための機械室を有する本体を含む冷蔵庫において、
前記本体内に設けられた二つ以上の貯蔵室を含み、前記機械室は小さい貯蔵室の下部に位置し、下部に機械室が配置されていない貯蔵室は下部に機械室が配置された貯蔵室より大きい空間を有するか深いことを特徴とする冷蔵庫。
【発明の詳細な説明】
【０００１】
【発明の属する技術分野】
本発明はキムチ冷蔵庫に係り、より詳しくは内部容積のより効率的な利用を可能にしたキムチ冷蔵庫に関するものである。
【０００２】
【従来の技術】
一般に、キムチ冷蔵庫はキムチを冷蔵保管するための装置であって、通常キムチを熟成させるための熟成手段と、キムチを冷たい状態に維持させるための冷却手段とを備えて、キムチを熟成及び貯蔵するようになっている。
【０００３】
図１に示すように、このようなキムチ冷蔵庫は、外観をなす本体１内にキムチの貯蔵のための貯蔵室２が設けられ、貯蔵室２の上部には、貯蔵物の収納のための開口部と、該開口部を開閉するドア３が設けられる。
【０００４】
このキムチ冷蔵庫の本体１の下部には、キムチ冷蔵庫を動作させるための各種電装物が収納される機械室４が設けられる。
【０００５】
機械室４は本体１の下部全面にわたって設けられ、その内部には、毛細管（図示せず）と、冷媒を圧縮する圧縮機４ａと、外部空気を吸入及び吐出するための送風ファン４ｂと、機械室４内に流入された外部空気と熱交換させて冷媒を凝縮させる凝縮熱交換器４ｃとが設けられている。
【０００６】
また、機械室４の後面には、外部空気が吸入される吸気孔１ａと、凝縮熱交換器４ｃと熱交換した空気を再び後方に排出する排気孔１ｂとが設けられているので、本体１の後面から外部空気を吸入してから凝縮熱交換器４ｃと熱交換した空気を再び本体１の後面に排出するようになっている。
【０００７】
ところで、このようなキムチ冷蔵庫において、機械室４は本体１の下部全面にわたって設けられているので、必要以上の空間が求められ、キムチを貯蔵するための貯蔵室２の容積が本体の容積に比べて相対的に小さくなるしかない問題点がある。
【０００８】
また、外部空気が本体１の後方から吸気孔１ａを通して吸入されてから排気孔１ｂを通して後方に再び吐き出されるので、凝縮熱交換器４ｃと熱交換して高温となった後、面側の空気が再び吸気孔１ａを通して吸入されるため、凝縮熱交換器４ｃの熱交換効率、つまり冷却効率を低下させる問題点がある。
【０００９】
【発明が解決しようとする課題】
したがって、本発明はこのような問題点を解決するためになされたもので、その目的は内部空間がより効率的に活用できるようにしたキムチ冷蔵庫を提供することにある。
【００１０】
また、本発明のほかの目的は、冷却効率をより向上させることができるキムチ冷蔵庫を提供することにある。
【００１１】
【課題を解決するための手段】
このような目的を達成するため、本発明は、本体と、キムチを貯蔵するため、前記本体内に設けられた二つ以上の貯蔵室と、電装品を収容するため、前記二つ以上の貯蔵室のいずれか一つの下部に前記本体の前方から後方に配置される機械室とを含んでなるキムチ冷蔵庫を提供する。
【００１２】
前記二つ以上の貯蔵室のうち、機械室が設けられていない貯蔵室の底面が機械室の設けられたほかの貯蔵室の底面より深く形成される。
【００１３】
前記機械室は、冷媒を圧縮する圧縮機と、前記機械室に流入された外部空気と熱交換して前記冷媒を凝縮するための凝縮熱交換器と、外部空気を前記機械室内に吸入し、前記凝縮熱交換器を通過した外部空気を外部へ排出させる送風ファンとを含む。
【００１４】
前記凝縮熱交換器、前記送風ファン及び前記圧縮機が前記機械室の前方から後方に順次配置される。ほかの例において、前記凝縮熱交換器、前記圧縮機及び前記送風ファンが前記機械室の前方から後方に順次配置される。
【００１５】
外部空気を前記機械室内に吸入するため、前記機械室の前部下側に吸気孔が設けられ、空気が前記凝縮熱交換器を通過して外部へ排出されるように前記機械室の後方に排気孔が設けられる。
【００１６】
前記送風ファンと前記機械室の内壁との間の空間を閉鎖するため前記凝縮熱交換器と前記圧縮機との間に、前記送風ファンを取り付けるための貫通孔が形成された案内部材をさらに設けられる。
【００１７】
前記凝縮熱交換器と前記機械室の内壁との間の空間を閉鎖して、前記機械室に流入された外部空気が前記凝縮熱交換器を通過するようにするため、前記機械室内に遮断部材が設けられる。
【００１８】
前記機械室の底面をなす本体の下面の前部に吸気孔が設けられ、前記機械室の後面をなす本体の後面の下部に排気孔が設けられる。
【００１９】
また、外部空気を前記機械室内に十分に吸入するため、前記機械室の下部の所定位置に補助吸気孔が設けられ、外部空気を前記凝縮熱交換器に案内するため、前記補助吸気孔の周囲に案内リブが設けられる。
【００２０】
【発明の実施の形態】
以下、本発明による好ましい実施例を添付図面に基づいて詳細に説明する。
【００２１】
図２及び図３に示すように、本発明によるキムチ冷蔵庫は、外観をなす本体１０の内部の上側に開放された二つの貯蔵室１１ａ、１１ｂが設けられ、各貯蔵室１１ａ、１１ｂの開口部には、この開口部を開閉するためのドア２０ａ、２０ｂがそれぞれ設けられる。
【００２２】
このようなキムチ冷蔵庫には、貯蔵室１１ａ、１１ｂを冷却するための冷却手段と、貯蔵室１１ａ、１１ｂ内に貯蔵されたキムチを熟成するための熟成手段とが設けられる。冷却手段は、貯蔵室１１ａ、１１ｂの外部に設けられ、蒸発熱交換器の役割を行う冷媒管１２からなり、熟成手段は貯蔵室１１ａ、１１ｂの外面を取り囲む電熱線１３からなる。
【００２３】
キムチ冷蔵庫の二つの貯蔵室１１ａ、１１ｂは左右に１つずつ設けられ、二つの貯蔵室１１ａ、１１ｂのうち、一側貯蔵室１１ａの下部には、キムチ冷蔵庫を動作させる各種の電装物が収容される機械室３０が設けられる。この際、下部に機械室３０が設けられていない貯蔵室１１ｂはその底面が本体の下面に隣接して形成されるので、下部に機械室３０を備えた貯蔵室１１ａに比べて相対的に大きく形成される。
【００２４】
機械室３０内には、毛細管（図示せず）、冷媒を圧縮する圧縮機３１と、外部空気と熱交換して冷媒を凝縮させる凝縮熱交換器３２と、外部空気を機械室３０に吸入して凝縮熱交換器３２と熱交換させてから排出させる送風ファン３２とが設けられている。
【００２５】
凝縮熱交換器３２、送風ファン３３及び圧縮機３１は機械室３０内に本体１０の前方から後方にこの順に配設されている。
【００２６】
図４に示すように、機械室３０の前面側には外部空気が吸入される吸気孔１４ａが設けられ、機械室３０の後面側には凝縮熱交換器３２と熱交換した空気が排出される排気孔３４が設けられている。前記吸気孔１４ａはキムチ冷蔵庫の外観を考慮して機械室３０の下面の前面側に設けられ、排気孔３４は機械室３０の後面に設けられる。
【００２７】
また、機械室３０の下部一側には、十分量の空気が機械室３０に流入できるように、前面側に形成された吸気孔１４ａのほかにも補助吸気孔１４ｂが設けられる。補助吸気孔１４ｂは機械室３０の下面をなす下板１４に設けられ、機械室３０の内壁には、下板１４が本体１０の下面に装着されたとき、補助吸気孔１４ｂに隣接した部位に、外部空気を凝縮熱交換器３２側に案内する多数の案内リブ３５が設けられている。
【００２８】
機械室３０内には、機械室３０内に流入された外部空気が効率的に送風できるように内部空間を区画する案内部材３６と、外部空気が効率的に凝縮熱交換器３２と熱交換するようにする遮断部材３７とが設けられる。
【００２９】
案内部材３６は圧縮機３１と凝縮熱交換器３２との間に設けられ、送風ファン３３と機械室３０の内壁との間を閉鎖して、機械室３０内に流入された外部空気が送風ファン３３により効率的に送風されるようにするもので、その中央部に送風ファン３３が取り付けられる貫通孔３６ａが設けられている。
【００３０】
遮断部材３７は凝縮熱交換器３２と機械室３０の内壁との空間を閉鎖して、送風ファン３３により機械室３０内に流入された外部空気の大部分が凝縮熱交換器３２を貫通して流れるようにすることにより、熱交換効率、つまり冷却効率を向上させるようにする。
【００３１】
また、本実施例において、機械室３０内には凝縮熱交換器３２、送風ファン３３、圧縮機３１が前面側から順次配置されているが、これに限定されなく、必要に応じて配置順序を変更することもできる。
【００３２】
図５は本発明のほかの実施例を示す。同図に示すように、送風ファン３３は機械室３０の後方に設けられた排気孔３４に隣接して取り付けられ、機械室３０内には前面側から凝縮熱交換器３２、圧縮機３１、送風ファン３３の順に配置されている。
【００３３】
本実施例においては、キムチ冷蔵庫を例として説明したが、これに限定されなく、一般の冷蔵庫など、冷凍サイクルを用いて内部の貯蔵物を冷却、貯蔵する各種機器の機械室にも適用することができる。
【００３４】
つぎに、このように構成された本発明によるキムチ冷蔵庫の動作及び効果を添付図面に基づいて詳細に説明する。
【００３５】
本発明によると、機械室３０は、二つの貯蔵室１１ａ、１１ｂのいずれか１つの貯蔵室１１ａの下部にだけ前後方向に長く設けられているので、下部に機械室３０が設けられた貯蔵室１１ａのほかの貯蔵室１１ｂの内部容積を大きく形成することができる。
【００３６】
また、キムチ冷蔵庫を稼動して送風ファン３３が回転すると、前部の下側に設けられた吸気孔１４ａ及び補助吸入孔１４ｂを通して外部空気が流入される。流入された外部空気は凝縮熱交換器３２を通過しながら熱交換する。この際、凝縮熱交換器３２と機械室３０の内壁との間には遮断部材３７が設けられているので、大部分の外部空気が凝縮熱交換器３２を通過しながら熱交換する。
【００３７】
凝縮熱交換器３２を通過しながら熱交換された空気は続いて送風ファン３３の送風力により、後面に設けられた排気孔３４を通して本体１０の後面に排出される。
【００３８】
凝縮熱交換器３２から熱を吸収した空気は送風ファン３３が取り付けられた貫通孔３６ａを通過する。その後、貫通孔２３ａを通過した空気は本体１０の後壁に形成された排気孔３４を通して外部へ排出される。
【００３９】
【発明の効果】
以上説明したように、本発明によるキムチ冷蔵庫は、複数の貯蔵室のいずれか一つの貯蔵室の下部に前後方向に長く形成された機械室を設けて、機械室が設けられた貯蔵室のほかの貯蔵室の容積をより大きくすることができるので、キムチ冷蔵庫の内部空間をより効率的に活用することができる効果がある。
【００４０】
また、本発明によるキムチ冷蔵庫は、前方から外部空気を吸入し、熱交換された空気を後方に排出するようになっているので、排出された空気を再び吸入することにより発生し得る凝縮熱交換器の熱交換の低下を防止することができる効果がある。
【図面の簡単な説明】
【図１】従来のキムチ冷蔵庫の斜視図である。
【図２】本発明の一実施例によるキムチ冷蔵庫の斜視図である。
【図３】図２のキムチ冷蔵庫の断面図である。
【図４】図２のキムチ冷蔵庫の底面斜視図である。
【図５】本発明のほかの実施例によるキムチ冷蔵庫の斜視図である。
【符号の説明】
１０　本体
１１ａ、１１ｂ　貯蔵室
１４　下板
１４ａ　吸気孔
１４ｂ　補助吸気孔
２０ａ、２０ｂ　ドア
３０　機械室
３１　圧縮機
３２　凝縮熱交換器
３３　送風ファン
３４　排気孔
３５　案内リブ
３６　案内部材
３７　遮断部材
【図１】
2004037068.tif 000003
【図２】
2004037068.tif 000004
【図３】
2004037068.tif 000005
【図４】
2004037068.tif 000006
【図５】
2004037068.tif 000007